(57)【要約】【課題】椅子枠を前後に移動可能なソファーベッドを提供する。【解決手段】サイド枠１１、１１’と前側ロッド１２と後側ロッド１２’とから構成されるベッド枠１０と、背当枠２１、３１と座当枠２２、３２とを枢接した椅子枠２０、３０から構成される。椅子枠２０、３０は、前側ロッド１２と後側ロッド１２’との間に設けられた二対の結合ロッド１３、１３’、１４、１４’ によってベッド枠１０に組付けられる。座当枠２２、３２の座当ロッド２４、３４の下面にはコ型枠台２５、３５が設けられ、その寸法はベッド枠１０に設けられた結合ロッド１３、１３’、１４、１４’を挟める寸法である。緊迫ボルト２６、３６はコ型枠台２５、３５に貫入されてベッド枠１０に設けられた案内溝１５、１６を挿通する。椅子枠２０、３０を、前後に移動した後に、緊迫ボルト２６、３６によって固定する。【選択図】図１
0003146175.tif 000002
【実用新案登録請求の範囲】
【請求項１】
一つのベッド枠と、二つの独立な椅子枠と、から構成されるソファーベッドにおいて、
前記ベッド枠は、二つのサイド枠と、前側ロッドと、後側ロッドと、から構成され、前記前側ロッドと前記後側ロッドとの間には前記椅子枠を組付けるための二対の結合ロッドが設けられており、前記二対の結合ロッドの前段には一定の長さを有し前記椅子枠の前後動を案内する案内溝がそれぞれ設けられており、
前記二つの椅子枠は、それぞれ背当枠と座当枠とを枢接して構成され、前記背当枠は立てて起こす又は平らに置くことが可能で、前記座当枠の座当ロッドの下面にはコ型枠台が設けられており、前記コ型枠台の寸法は前記ベッド枠に設けられた前記結合ロッドを挟むような寸法にされており、緊迫ボルトが前記コ型枠台に貫入されて前記結合ロッドに設けられた案内溝を挿通しており、前記椅子枠は、前記結合ロッドに案内されて前後に移動した後に、前記緊迫ボルトによってベッド枠に固定可能であることを特徴とするソファーベッド。
【請求項２】
前記二つの椅子枠の前記背当枠の外側辺には関節式の手すりがそれぞれ設けられており、前記関節式の手すりはそれぞれ二つのレバーを枢着して構成され、且つ前記二つのレバーの各端には、前記背当枠と前記座当枠に応じて枢着点が設けられており、前記背当枠を立てて起こすと前記関節式の手すりが使用可能な状態となり、前記背当枠を平らに置くと前記手すりが収納される状態になることを特徴とする請求項１に記載のソファーベッド。
【考案の詳細な説明】
【技術分野】
【０００１】
本考案は、ソファーベッドに関する。
【背景技術】
【０００２】
一般のマンションなどでは、空間が狭いので、好きな家具を全て入れることは無理である。この問題を解決するために、複数の機能を有する家具が消費者に愛用されている。この複数の機能を有する家具の中に、ソファー及びベッドの機能を有する「ソファーベッド」がよく見られる。すなわち、昼間にはソファーベッドがソファーとして使用され、夜間にはソファーベッドがベッドとして使用される。そうすると、空間不足の問題を多少解消することができる。
【０００３】
しかしながら、市販されているソファーベッドは、ベッド枠と椅子枠とが一体に結合され、ベッド枠と椅子枠との前後相対位置を自由に調整することができない。したがって、ユーザは椅子枠を前後に移動して自分が快適に感じる位置に固定することができない。すなわち、背当枠が一定の枢着点を中心として旋回することだけが可能であり、背当枠を立てて起こすと、座当枠がベッド枠の前側に寄っているので、長期間使用すると、外力が何時もベッド枠の前側に加わる。そのため、ベッド枠の前側が変形し易い。そして、立てて起こされた背当枠は部屋の壁面に寄ることができないので、背当枠の強度が不足する場合、背当枠も変形し易い。
また、従来のソファーベッドの手すりは、バネ式手すりを採用し、肘を掛けることができるが、ユーザが立っているときに腕がバネ式手すりに過大な力を加えると、バネ式手すりがもとに戻ろうとする回復する動きをする傾向がある。このため、体の不自由な方やお年寄りにとって、このようなソファーベッドの使用は極めて危険である。
【考案の開示】
【考案が解決しようとする課題】
【０００４】
本考案の主な目的は、ベッド枠と椅子枠とを別体にすることにより、ユーザが椅子枠を前後に移動して自分が快適に感じる位置に固定することができるソファーベッドを提供することにある。
本考案のもう一つの目的は、バネ式手すりの代りに、関節式の手すりを採用することにより、ユーザが立っているときに腕がバネ式手すりに過大な力を加えても、手すりが回復する動きをする傾向がなく、体の不自由な方やお年寄りでも安心して使用可能なソファーベッドを提供することにある。
【課題を解決するための手段】
【０００５】
上記目的を達成するため、本考案に係るソファーベッドは、一つのベッド枠と、二つの独立な椅子枠と、から構成される。前記ベッド枠は、二つのサイド枠と、前側ロッドと、後側ロッドと、から構成される。前記前側ロッドと後側ロッドとの間には、椅子枠を組付けるための二対の結合ロッドが設けられており、前記二対の結合ロッドの前段には、一定の長さを有し前記椅子枠の前後動を案内する案内溝がそれぞれ設けられている。前記二つの椅子枠は、それぞれ背当枠と座当枠とを枢接して構成される。前記背当枠は立てて起こす、又は平らに置くことができる。また、前記座当枠の座当ロッドの下面にはコ型枠台が設けられている。前記コ型枠台の寸法は前記ベッド枠に設けられた結合ロッドを挟むことが可能な寸法にされている。緊迫ボルトが前記コ型枠台に貫入されて前記結合ロッドに設けられた案内溝を挿通し、前記椅子枠は、前記結合ロッドに案内されて前後に移動した後に、前記緊迫ボルトによってベッド枠に固定可能である。
【０００６】
さらに本考案に係るソファーベッドは、前記二つの椅子枠の背当枠の外側辺には関節式の手すりがそれぞれ設けられている。これらの手すりはそれぞれ二つのレバーを枢着して構成され、且つ二つのレバーの各端には、背当枠と座当枠とに応じて枢着点が設けられている。前記背当枠を立てて起こすと、前記関節式の手すりを使用することができる。なお、前記背当枠を平らに置くと前記関節式の手すりが収納される状態になってもよい。
【０００７】
（考案の効果）
本考案のソファーベッドによれば、次のような効果がある。
（１）ベッド枠と椅子枠とを別体にすることにより、ユーザは椅子枠を前後に移動して自分が快適に感じる位置に固定することができる。
（２）バネ式手すりの代りに、関節式の手すりを採用することにより、ユーザが立っているときに腕が手すりに過大な力を加えても、手すりが回復する動きをする傾向がなく、体の不自由な方やお年寄りでも安心して使用することができる。
【考案を実施するための最良の形態】
【０００８】
以下、本考案の実施の形態を図面に基づいて説明する。
本考案の一実施形態によるソファーベッドは、一つのベッド枠１０と、二つの独立な椅子枠２０、３０と、から構成される。
ベッド枠１０は、二つのサイド枠１１、１１’と、前側ロッド１２と、後側ロッド１２’と、から構成される。前側ロッド１２と後側ロッド１２’との間には、椅子枠２０、３０を組付けるための二対の結合ロッド１３、１３’、１４、１４’が設けられており、二対の結合ロッド１３、１３’、１４、１４’の前段には、一定の長さを有し椅子枠２０、３０の前後動を案内する案内溝１５、１６がそれぞれ設けられている。
【０００９】
二つの椅子枠２０、３０は、それぞれ背当枠２１、３１と座当枠２２、３２とを枢接して構成される。背当枠２１、３１と座当枠２２、３２との枢着部位にある関節手段２３、３３（よく知られた構成なので、説明を省略する）により、背当枠２１、３１は立てて起こされ、又は平らに置くことができる。また、座当枠２２、３２の座当ロッド２４、３４の下面にはコ型枠台２５、３５が設けられており、コ型枠台２５、３５の寸法はベッド枠１０に設けられた結合ロッド１３、１３’、１４、１４’を挟むことが可能な寸法にされている。緊迫ボルト２６、３６が前記コ型枠台２５、３５に貫入されて結合ロッド１３、１３’、１４、１４’に設けられた案内溝１５、１６を挿通する。椅子枠２０、３０は、結合ロッド１３、１３’、１４、１４’に案内されて前後に移動した後に、緊迫ボルト２６、３６によってベッド枠１０に固定されることができる。
【００１０】
また、二つの椅子枠２０、３０の背当枠２１、３１の外側辺には関節式の手すり４０、５０がそれぞれ設けられており、これらの関節式の手すり４０、５０はそれぞれ二つのレバー４１、４２、５１、５２を枢着して構成される。二つのレバー４１、４２、５１、５２の各端には、背当枠２１、３１と座当枠２２、３２とに応じて枢着点（符号を付加せず）が設けられており、背当枠２１、３１を立起すると関節式の手すり４０、５０を使用することができ、なお、背当枠２１、３１を平らに置くと関節式の手すり４０、５０が収納される状態になる。
【００１１】
このような構成によれば、ベッド枠１０と椅子枠２０、３０を別体にすることにより、椅子枠２０、３０を平らに置いてベッドとして使用することができ、そして椅子枠２０、３０を立てて起こすと、座当枠２２、３２のコ型枠台２５、３５と、ベッド枠１０の結合ロッド１３、１３’、１４、１４’との嵌合により、ユーザは椅子枠２０、３０を前後に移動して自分が快適に感じる位置に固定することができる。そして、ユーザは背当枠２１、３１を部屋の壁面に寄り掛からせることもでき、これにより、ソファーベッドの耐えられる重量が向上する。また、両側にある関節式の手すり４０、５０は、椅子枠２０、３０を立てて起こすと使用可能になり、椅子枠２０、３０を平らに置くまで使用することができるので、ユーザが立っているときに腕が手すりに過大な力を加えても、手すりは回復する動きをする傾向がなく、体の不自由な方やお年寄りでも安心して使用することができる。
【図面の簡単な説明】
【００１２】
【図１】本考案の一実施形態によるソファーベッドの分解斜視図。
【図２】本考案の一実施形態によるソファーベッドがベッドとして使用される状態を示す斜視図。
【図３】本考案の一実施形態によるソファーベッドがソファーとして使用される状態を示す斜視図。
【図４】本考案の一実施形態によるソファーベッドをソファーとして使用したいときの調整方法を示す模式図。
【図５】本考案の一実施形態によるソファーベッドをソファーとして使用したいときの調整前の状態を示す側面図。
【図６】本考案の一実施形態によるソファーベッドをソファーとして使用したいときの調整後の状態を示す側面図。
【符号の説明】
【００１３】
１０：ベッド枠、１１、１１’：サイド枠、１２、１２’：サイドロッド、１３、１３’：結合ロッド、１４、１４’：結合ロッド、１５、１６：案内溝、２０、３０：椅子枠、２１、３１：背当枠、２２、３２：座当枠、２３、３３：関節手段、２４、３４：座当ロッド、２５、３５：コ型枠台、２６、３６：緊迫ボルト、４０、５０：関節式手すり、４１、４２：レバー、５１、５２：レバー
【図１】
0003146175.tif 000003
【図２】
0003146175.tif 000004
【図３】
0003146175.tif 000005
【図４】
0003146175.tif 000006
【図５】
0003146175.tif 000007
【図６】
0003146175.tif 000008